(57)【要約】【課題】浴槽栓の開閉をリモコン操作で行うことができる自動排水栓の開閉機能を給湯機に内蔵し、構成の簡素化を図る。【解決手段】台所リモコン２に設けた排水栓開閉スイッチ７の操作により、給湯機１を介して前記自動排水栓１２を開閉する制御信号を出力することにより、専用の制御ボックスが不要となり、構成の簡素化が図れると共に、給湯機１とリモコン２、４の湯張り信号を送受信する回線を共用することで、使い勝手の向上が図れる。【選択図】図１
2005172292.tif 000002
【特許請求の範囲】
【請求項１】
浴槽へお湯張りを行う給湯機と、前記給湯機を遠隔操作するリモコンと、浴槽の排水口を開閉できる自動排水栓を備え、前記リモコンに設けた操作部の操作により、前記給湯機を介して前記自動排水栓を開閉する制御信号を出力することを特徴とする風呂制御装置。
【請求項２】
リモコンに設けた湯張り指示を行う操作部の操作信号に連動して、給湯機を介して自動排水栓を閉栓する制御信号を出力することを特徴とする請求項１記載の風呂制御装置。
【請求項３】
リモコンに設けた湯張り停止指示を行う操作部の操作から所定時間経過後に、給湯機を介して自動排水栓を開栓する制御信号を出力することを特徴とする請求項１記載の風呂制御装置。
【請求項４】
自動排水栓の閉栓及び開栓を制御する制御信号の出力を禁止するための操作手段を設けたことを特徴とする請求項１〜３のいずれか１項記載の風呂制御装置。
【請求項５】
操作手段をリモコンに設けたことを特徴とする請求項４記載の風呂制御装置。
【発明の詳細な説明】
【技術分野】
【０００１】
本発明は、浴槽へお湯張りを行う給湯機と浴槽の排水を行う自動排水栓を備えた風呂制御装置に関するものである。
【背景技術】
【０００２】
従来、この種の風呂制御装置は、浴室の天井裏に自動排水栓を制御する制御ボックスを設けて実現している（例えば、特許文献１参照）。
【０００３】
図６は、前記特許文献１に記載された従来の風呂制御装置を示すものである。図６に示すように、台所リモコン２のお湯張りスイッチ６がＯＮされた時には、給湯器１が駆動されて浴槽５内への湯はりが開始され、同時に浴室リモコン４に設けられた発信部１９から信号が発信されるように構成されており、発信部１９からの信号は、制御ボックス２０の受信部２１で受信され、これにより、自動排水栓１２が閉じられる構成となっている。
【特許文献１】特開２００３−６１８４９号公報
【発明の開示】
【発明が解決しようとする課題】
【０００４】
しかしながら上記従来の風呂制御装置では、自動排水栓を開閉するために、浴室リモコンに発信部を設け、この発信部からの信号を受信するために天井裏等に受信部を備えた制御ボックスを用いなければならなく、また、制御ボックスは天井裏への設置施工が必要となり、製品の金額と施工費で高価となってしまう課題がある。
【０００５】
本発明は上記課題を解決するため、自動排水栓の制御手段を給湯機に内蔵し、リモコンからの湯張り指示に同期させて自動排水栓を制御することで、構成の簡素化を図ると共に工事の簡易化を確保し、安価な風呂制御装置を提供するものである。
【課題を解決するための手段】
【０００６】
前記従来の課題を解決するために、本発明の風呂制御装置は、浴槽へお湯張りをする給湯機と前記給湯機を遠隔操作するリモコンとの通信信号ラインを使用して、前記リモコンから送られる自動排水栓開閉信号を受信すると自動排水栓を開閉する開閉手段を前記給湯機内に設け、前記開閉手段からの制御信号で自動排水栓を開閉する構成としたものである。
【０００７】
これによって、天井裏に設置する制御ボックスが不要となり、給湯機を遠隔操作するリモコンからの制御ボックスへの発信部と給湯機内の受信部は、給湯機を遠隔操作する通信回路と通信信号ラインを共用できるため、構成の簡素化が図れると共に工事の簡易化も達成できる。
【発明の効果】
【０００８】
本発明の風呂制御装置は、リモコンからの指示により浴室に行かなくても浴槽栓の開閉を行うことができ、かつ、自動排水栓の開閉機能を給湯機に内蔵しているため、使い勝手がよく、安価に提供することができる。
【発明を実施するための最良の形態】
【０００９】
第１の発明は、浴槽へお湯張りを行う給湯機と、前記給湯機を遠隔操作するリモコンと、浴槽の排水口を開閉できる自動排水栓を備え、前記リモコンに設けた操作部の操作により、前記給湯機を介して前記自動排水栓を開閉する制御信号を出力することにより、自動排水栓を開閉する制御信号を出力する制御ボックスが不要で天井裏に設置する必要がなく、前記給湯機へ遠隔操作信号を送信するための前記リモコンからの送信部と、前記遠隔操作信号を受信する前記給湯機の受信部が共用できるため、安価に自動排水栓の開閉駆動をさせることができる。
【００１０】
また、浴室へ行かなくても、台所に設置された前記リモコンの操作で浴槽の排水口を開閉でき、使い勝手がよい。
【００１１】
第２の発明は、特に、第１の発明において、リモコンに設けた湯張り指示を行う操作部の操作信号に連動して、給湯機を介して自動排水栓を閉栓する制御信号を出力することを特徴とするもので、使用者が特に意識することなく浴槽へのお湯張り時に自動的に浴槽の排水口を閉栓することができ、操作忘れにより浴槽栓の排水口が開いたままとなってしまい無駄な水を使用することを防止できる。
【００１２】
第３の発明は、特に、第１の発明において、リモコンに設けた湯張り停止指示を行う操作部の操作から所定時間経過後に、給湯機を介して自動排水栓を開栓する制御信号を出力することを特徴とするもので、使用者が特に意識しなくても浴槽の排水口を開栓して排水することができ、排水忘れにより浴室内に湿気が溜まりカビが生えることを抑制することができる。
【００１３】
第４の発明は、特に、第１〜３の発明において、自動排水栓の閉栓及び開栓を制御する制御信号の出力を禁止するための操作手段を設けたことを特徴とするもので、浴槽の残り湯を洗濯などに使用する場合は、浴槽の湯を排水しないように設定することが可能となり、使用実態に応じて容易に施工者やサービス対応者が対応することができる。
【００１４】
第５の発明は、特に、第４の発明において、操作手段をリモコンに設けたことにより、浴槽の残り湯を洗濯などに使用する場合と、捨ててしまう場合を使用者が自由に設定を切り替えることができ、使い勝手がよくなる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における風呂制御装置の構成図を示すものである。
【００１７】
図１において、屋外等に設置された給湯機１には、台所に設置された台所リモコン２と浴室３内に設置された浴室リモコン４が接続されており、台所リモコン２には、浴槽５にお湯張りをおこなうお湯張りスイッチ６と、排水栓開閉スイッチ７と、操作内容を判断するスイッチ判定手段８と、操作内容を送信する送信手段９を備えている。
【００１８】
また、給湯機１には、台所リモコン２及び浴室リモコン４からの送信信号を受信する受信手段１０と、受信内容を判定する受信内容判定手段１１と、浴槽５の底面の設けた自動排水栓１２を開閉する制御信号を出力する排水栓駆動出力手段１３を備えて構成している。
【００１９】
以上のように構成された風呂制御装置について、以下その動作、作用を説明する。
【００２０】
まず、台所リモコン２の排水栓開閉スイッチ７を閉操作すると、スイッチ判定手段８により排水栓閉操作を判断し、送信手段９により排水栓閉信号が送信される。前記排水栓閉信号を給湯機１の受信手段１０で受信し、受信内容判定手段１１により排水栓閉と判断すると、排水栓駆動出力手段１３より自動排水栓１２へ閉信号を出力し、自動排水栓１２が閉栓する。
【００２１】
台所リモコン２の排水栓開閉スイッチ７を開操作すると、スイッチ判定手段８により排水栓開操作を判断し、送信手段９により排水栓開信号が送信される。前記排水栓開信号を給湯機１の受信手段１０で受信し、受信内容判定手段１１により排水栓開と判断すると、排水栓駆動出力手段１３より自動排水栓１２へ開信号を出力し、自動排水栓１２が開栓する。
【００２２】
以上のように、本実施の形態においては、給湯機１を介して自動排水栓１２を開閉する制御信号を出力することにより、天井裏に設置する制御ボックスが不要となり、また、給湯機１により浴槽５へお湯張りをおこなうためのお湯張り信号を送信する台所リモコン２の送信手段９と、前記お湯張り信号を受信する給湯機１の受信手段１０が、自動排水栓１２の開閉機能に関しても共用できるために、浴室リモコンから制御ボックスへ信号を送信する送信部も不要となる。このため、安価に浴槽５の自動排水栓１２の開閉駆動を行う構成とすることができる。
【００２３】
また、浴室へ行かなくても、台所に設置されたリモコンの操作で浴槽の排水栓を開閉でき、使い勝手がよい。
【００２４】
（実施の形態２）
図２は、本発明の第２の実施の形態の風呂制御装置の構成図である。
【００２５】
図２において、実施の形態１と異なるところは、台所リモコン２の排水栓開閉スイッチ７をなくし、給湯機１の受信内容判定手段１１において、お湯張り開始を受信したと判断すると、排水栓連動閉駆動出力手段１４より自動排水栓１２へ開信号を出力する構成とした点である。
【００２６】
以上のように構成された風呂制御装置について、以下その動作、作用を説明する。
【００２７】
まず、台所リモコン２のお湯張りスイッチ６をＯＮ操作すると、スイッチ判定手段８によりお湯張り開始を判断し、送信手段９によりお湯張り開始信号が送信される。前記お湯張り開始信号を給湯機１の受信手段１０で受信し、受信内容判定手段１１によりお湯張り開始と判断すると、排水栓連動閉駆動出力手段１４より自動排水栓１２へ閉信号を出力して自動排水栓１２が閉栓し、浴槽５へのお湯張りが開始される。
【００２８】
以上のように、本実施の形態においては、使用者が特に意識することなく浴槽へのお湯張り開始時に自動的に浴槽の排水口を閉栓することができ、操作忘れにより浴槽の排水口が開いたままとなってしまい無駄な水を使用することを防止できる。
【００２９】
（実施の形態３）
図３は、本発明の第３の実施の形態の風呂制御装置の構成図である。
【００３０】
図３において、実施の形態２と異なるところは、給湯機１の受信内容判定手段１１において、お湯張り停止を受信したと判断すると、排水栓開ディレイ駆動出力手段１５によりお湯張り停止から一定時間経過すると、排水栓自動排水栓１２へ開信号を出力する構成とした点である。
【００３１】
以上のように構成された風呂制御装置について、以下その動作、作用を説明する。
【００３２】
まず、台所リモコン２のお湯張りスイッチ６をＯＦＦ操作すると、スイッチ判定手段８によりお湯張り停止を判断し、送信手段９によりお湯張り停止信号が送信される。前記お湯張り停止信号を給湯機１の受信手段１０で受信し、受信内容判定手段１１によりお湯張り停止と判断すると、排水栓開ディレイ駆動出力手段１５によりお湯張り停止から一定時間経過（例えば、１時間経過）すると、自動排水栓１２へ開信号を出力して自動排水栓１２が開栓し、浴槽５のお湯が排水される。
【００３３】
以上のように、本実施の形態においては、使用者が特に意識しなくても浴槽の排水口を開栓して排水することができ、排水忘れにより浴室内に湿気が溜まりカビが生えることを抑制することができる。
【００３４】
（実施の形態４）
図４は、本発明の第４の実施の形態の風呂制御装置の構成図である。
【００３５】
図４において、実施の形態２と異なるところは、台所リモコン２のお湯張りスイッチ操作により自動排水栓１２へ開閉信号を出力する連動動作を禁止する連動禁止手段１６を給湯機１に設けた構成とした点である。
【００３６】
以上のように構成された風呂制御装置について、以下その動作、作用を説明する。
【００３７】
まず、台所リモコン２のお湯張りスイッチ６をＯＮ操作すると、スイッチ判定手段８によりお湯張り開始を判断し、送信手段９によりお湯張り開始信号が送信される。前記お湯張り開始信号を給湯機１の受信手段１０で受信し、受信内容判定手段１１によりお湯張り開始と判断する。このとき、連動禁止手段１６（例えば、ディップスイッチなど）が禁止状態である場合は、排水栓連動閉駆動出力手段１４よりお湯張り開始と連動した自動排水栓１２への閉信号出力をおこなわないようにする。連動禁止手段１６（例えば、ディップスイッチなど）が許可状態である場合は、排水栓連動閉駆動出力手段１４よりお湯張り開始と連動した自動排水栓１２への閉信号出力をおこなうようになる。
【００３８】
また、連動禁止手段１６により、お湯張り停止時に自動排水栓１２を開栓することを禁止または許可することも考えられる。
【００３９】
以上のように、本実施の形態においては、必ず浴槽の残り湯を洗濯などに使用する場合は、浴槽の湯を排水しないように設定することなどが可能となり、使用実態に応じて容易に施工者やサービス対応者が対応することができる。
【００４０】
（実施の形態５）
図５は、本発明の第５の実施の形態の風呂制御装置の構成図である。
【００４１】
図５において、実施例２と構成と異なるところは、台所リモコン２の連動禁止操作手段１７の操作（例えば、禁止タクトスイッチやお湯張りスイッチの２秒押し続けなど）により給湯機１へ連動禁止信号を送信し、給湯機１には連動禁止状態記憶手段１８を設けた構成とした点である。
【００４２】
以上のように構成された風呂制御装置について、以下その動作、作用を説明する。
【００４３】
まず、台所リモコン２の連動禁止操作手段１７をＯＮ操作すると、スイッチスイッチ判定手段８により連想禁止を判断し、送信手段９により連動禁止信号が送信される。前記連動禁止信号を給湯機１の受信手段１０で受信し、受信内容判定手段１１により連動禁止と判断すると、連動禁止状態記憶手段１８に連動禁止を記憶する。この状態で、台所リモコン２のお湯張りスイッチ６をＯＮ操作すると、スイッチ判定手段８によりお湯張り開始を判断し、送信手段９によりお湯張り開始信号が送信される。前記お湯張り開始信号を給湯機１の受信手段１０で受信し、受信内容判定手段１１によりお湯張り開始と判断する。このとき、連動禁止記憶手段１８が禁止状態である場合は、排水栓連動閉駆動出力手段１４よりお湯張り開始と連動した自動排水栓１２への閉信号出力をおこなわないようにする。連動禁止操作手段１７をＯＦＦ操作すると連動禁止状態記憶手段１８に連動許可が記憶され、お湯張り開始と連動した自動排水栓１２への閉信号出力をおこなうようになる。
【００４４】
また、連動禁止操作手段１７の操作により、お湯張り停止時に自動排水栓１２を開栓することを禁止または許可することも考えられる。
【００４５】
以上のように、本実施の形態においては、浴槽の残り湯を洗濯などに使用する場合と捨ててしまう場合を使用者が自由に設定を切り替えることができ、使い勝手がよくなる。
【産業上の利用可能性】
【００４６】
以上のように、本発明にかかる風呂制御装置は、浴室に行かなくても浴槽栓の開閉を行うことができる自動排水栓の開閉機能を、使い勝手がよく給湯機からの信号により施工費も含めて安価に搭載することが可能となるので、お湯張り時の浴槽の蓋の自動開閉や浴室の扉の自動開閉、浴室の換気扇の駆動等の用途にも適用できる。
【図面の簡単な説明】
【００４７】
【図１】本発明の実施の形態１における風呂制御装置の構成図
【図２】本発明の実施の形態２における風呂制御装置の構成図
【図３】本発明の実施の形態３における風呂制御装置の構成図
【図４】本発明の実施の形態４における風呂制御装置の構成図
【図５】本発明の実施の形態５における風呂制御装置の構成図
【図６】従来の風呂制御装置の構成図
【符号の説明】
【００４８】
１  給湯機
２  台所リモコン
４  浴室リモコン
５  浴槽
６  お湯張りスイッチ（操作部）
１２  自動排水栓
【図１】
2005172292.tif 000003
【図２】
2005172292.tif 000004
【図３】
2005172292.tif 000005
【図４】
2005172292.tif 000006
【図５】
2005172292.tif 000007
【図６】
2005172292.tif 000008